(57)【要約】【課題】ストレーナーに付着したぬめり等の付着物を簡単、且つ迅速に除去して、清潔に保つことができる排水口用ストレーナー装置を提供する。【解決手段】円筒状のストレーナー本体１の下面に、取り外し自在に装着固定される底部部材２とにより構成され、前記ストレーナー本体１は、周壁に多数の排水用孔を開口した複数枚に分割された円弧状の排水片４ａ・４ｂ・４ｃをヒンジ５により展開自在に連結する一方、両端の排水片４ａ・４ｃを接合手段１０により一体に接合固定、且つ分離自在として、全体が円筒状に形成される一方、前記底部部材２は、円筒状をした周壁１３の上面に臭気止め板１４が設置配されて逆コップ状に形成される共に、該臭気止め板１４上に前記ストレーナー本体１の下端部が、取外し自在なるよう係合手段１５により係合されて連結固定されている。【選択図】図１
2018127853.tif 000002
【特許請求の範囲】
【請求項１】
円筒状のストレーナー本体と、該ストレーナー本体の下面に、取り外し自在に装着固定される底部部材とにより構成された排水口用ストレーナー装置であって、前記ストレーナー本体は、周壁に多数の排水用孔を開口したプラスチック製の複数枚に分割された円弧状の排水片をヒンジにより拡開・展開自在に連結すると共に、両端の排水片を接合手段により一体に接合固定、且つ分離自在として、全体が円筒状に形成される一方、前記底部部材は、臭気止め板を備えて形成される共に、該臭気止め板上に前記ストレーナー本体の下端部が、取外し自在なるよう係合手段により係合されて一体に連結固定されたことを特徴とする排水口用ストレーナー装置。
【請求項２】
円筒状のストレーナー本体と、該ストレーナー本体の下面に、取り外し自在に装着固定される底部部材とにより構成された排水口用ストレーナー装置であって、前記ストレーナー本体は、多数の排水用孔を開口した巻き簀状に形成され、両端の接合手段により一体に接合固定、且つ分離自在として、全体が円筒状に形成される一方、前記底部部材は、底板を備えて形成される共に、該底板上に前記ストレーナー本体の下端部が、取外し自在なるよう係合手段により係合されて一体に連結固定されたことを特徴とする排水口用ストレーナー装置。
【請求項３】
請求項１または請求項２記載の排水口用ストレーナー装置において、底部部材が、円筒状をした周壁の上面に臭気止め板を設置して逆コップ状に形成されたことを特徴とする排水口用ストレーナー装置。
【請求項４】
請求項１または請求項２記載の排水口用ストレーナー装置において、底部部材が、平板より成る円盤状の底板により形成されたことを特徴とする排水口用ストレーナー装置。
【発明の詳細な説明】
【技術分野】
【０００１】
本発明は、台所流し台、あるいは浴室等の排水口に取付けられるストレーナー装置であって、ストレーナーに付着したぬめり等の付着物を簡単、且つ迅速に除去して、清潔に保つことができる排水口用ストレーナー装置に関するものである。
【背景技術】
【０００２】
従来、例えば、一般家庭の台所流し台の排水口には、野菜くず等の食材のごみを捕集して排水するためのストレーナーが使用されている。そして、図１２〜１３に示すように、従来一般家庭の台所で使用されているストレーナー４０は、細長筒状体に形成された周壁４１のうち、上方側周壁４２に多数の水切り用孔４３を開口して水切り部４４とする一方、下方側周壁４５に水切り用孔を開口することなく、上面に臭気止め板４６を設置して、逆コップ状に形成された臭気止め部４７を、前記水切り部４４の下方部に一体に連設して形成されている。
【０００３】
更に、ストレーナーに関する先行特許文献である下記特許文献に示すストレーナーも、前記一般家庭で使用されているストレーナーと同様に、周壁に多数の水切り用孔を開口して、円筒状の水切り部（図１・２のゴミ収容器２）が形成されると共に、該水切り部の下端に底板（図中、符号で表示されていないが、図１・２の記載から、底板が設置されていることは明らかである）を一体に固定して形成されおり、前記従来一般家庭で使用されているストレーナーとは、開口部のない下方側の周壁が備えられていない点が異なるだけである。
【０００４】
そして、前記従来一般家庭で使用されているストレーナー、および特許文献に示すストレーナーは、いずれも円筒状に水切り部の下端に、臭気止め部、あるいは底板が一体に固定された形状より成るものである。
【先行技術文献】
【特許文献】
【０００５】
【特許文献１】実開平２−７８６７３号公報
【発明の概要】
【発明が解決しようとする課題】
【０００６】
前記現在一般家庭で使用されているストレーナーおよび前記特許文献に記載されているストレーナーは、いずれも円筒状に形成された水切り部の下端に、臭気止め部、あるいは底板が一体に固定されているため、前記ストレーナーを台所流し台、または浴室の排水口より取り出して洗浄する場合、該各ストレーナーは円筒状に形状を保持したままで、分解等によりその容積を小さくすることができないので、水切り部の内壁面や、臭気止め部、あるいは底板部分の洗浄が面倒で手間がかかり、ぬめり等の付着物を完全に除去することができないという課題があり、また、前記ストレーナーを洗浄剤中に一定時間浸漬しておいて、浸け置き洗浄をする場合、該ストレーナーを寝かしても高さがあるため、前記洗浄剤の使用量が多くなり、不経済であるという課題があった。
【０００７】
本発明は、前記課題を解決すべくなされたもので、複数枚の円弧状の排水片をヒンジおよび接合手段によりそれぞれ連結して円筒状のストレーナー本体を形成し、且つ前記ストレーナー本体を、洗浄時に前記ヒンジを介して波形状に拡開すると共に、該ストレーナー本体と底部部材に分解して、ストレーナー本体の厚さを薄くして洗浄剤中に浸漬したり、あるいは洗浄液をつけたスポンジ等の洗浄部材で洗浄することにより、従来の円筒状のストレーナーの場合に比べて、浸漬する洗浄剤を少なくすることができると共に、洗浄剤での洗浄作業が、短時間で、且つ手間がかからず簡単に行うことのできる排水口用ストレーナー装置を提供する一方、更に、前記底部部材は前記ストレーナー本体に比べて汚れが少ないので、ストレーナー本体と底部部材に分解することにより、該底部部材の洗浄作業も極めて容易となる排水口用ストレーナー装置を提供しようとするものである。
【課題を解決するための手段】
【０００８】
本発明は、前記課題を解決する手段として、請求項１において、
円筒状のストレーナー本体と、該ストレーナー本体の下面に、取り外し自在に装着固定される底部部材とにより構成された排水口用ストレーナー装置であって、前記ストレーナー本体は、周壁に多数の排水用孔を開口したプラスチック製の複数枚に分割された円弧状の排水片をヒンジにより拡開・展開自在に連結すると共に、両端の排水片を接合手段により一体に接合固定、且つ分離自在として、全体が円筒状に形成される一方、前記底部部材は、臭気止め板を備えて形成される共に、該臭気止め板上に前記ストレーナー本体の下端部が、取外し自在なるよう係合手段により係合されて一体に連結固定されたことを特徴とする排水口用ストレーナー装置が提供され、
または、請求項２において、
円筒状のストレーナー本体と、該ストレーナー本体の下面に、取り外し自在に装着固定される底部部材とにより構成された排水口用ストレーナー装置であって、前記ストレーナー本体は、多数の排水用孔を開口した巻き簀状に形成され、両端の接合手段により一体に接合固定、且つ分離自在として、全体が円筒状に形成される一方、前記底部部材は、底板を備えて形成される共に、該底板上に前記ストレーナー本体の下端部が、取外し自在なるよう係合手段により係合されて一体に連結固定されたことを特徴とする排水口用ストレーナー装置が提供され、
また更に、請求項３において、
請求項１または請求項２記載の排水口用ストレーナー装置において、底部部材が、円筒状をした周壁の上面に臭気止め板を設置して逆コップ状に形成されたことを特徴とする排水口用ストレーナー装置が提供され、
そして更に、請求項４において、
請求項１または請求項２記載の排水口用ストレーナー装置において、底部部材が、平板より成る円盤状の底板により形成されたことを特徴とする排水口用ストレーナー装置が提供される。
【発明の効果】
【０００９】
前記構成より成る本発明によれば、底部部材と一体となっているストレーナー本体を排水口から取出し、然る後、複数枚の各排水片のうち、両端の排水片の接合手段を引き剥がせば、前記複数枚の各排水片はヒンジを介して展開された状態となり、これにより前記各排水片の底部部材への係合状態も解除され、前記ストレーナー本体は極めて簡単に底部部材から取去って、拡開して全体を波板状に薄くして、然る後、直ちに洗浄作業に入ることができる。そして、洗浄作業は、前記ヒンジを介してストレーナー本体を波形状に拡開して全体の厚さを薄くして洗浄剤中に浸漬したり、あるいは洗浄液を付けたスポンジ等の洗浄部材で洗浄することにより、従来の円筒状のストレーナーの場合に比べて、浸漬する洗浄剤を少なくすることができると共に、洗浄剤をつけたスポンジ等の洗浄部材での洗浄作業が、短時間で、且つ手間がかからず簡単に行うことのできるのである。なお、前記底部部材は前記ストレーナー本体に比べて汚れが少ないので、ストレーナー本体と底部部材に分解することにより、該底部部材の洗浄作業も極めて容易である。
【図面の簡単な説明】
【００１０】
【図１】本発明排水口用ストレーナー装置の第１の実施例を示す全体の斜視図である。
【図２】第１の実施例による本発明排水口用ストレーナー装置を構成するストレーナー本体の平面図である。
【図３】第１の実施例による本発明排水口用ストレーナー装置において、ストレーナー本体を底部部材に取り付けた状態を、一部を切り欠いて示す正面図である。
【図４】第１の実施例による本発明排水口用ストレーナー装置における底部部材の斜視図である。
【図５】第１の実施例による本発明排水口用ストレーナー装置における底部部材の縦断面図である。
【図６】第１の実施例による本発明排水口用ストレーナー装置を構成するストレーナー本体を展開した状態を示す正面図である。
【図７】第１の実施例による本発明排水口用ストレーナー装置を構成するストレーナー本体を展開した状態を示す平面図である。
【図８】本発明排水口用ストレーナー装置の第２の実施例を示す全体の斜視図である。
【図９】第２の実施例による本発明排水口用ストレーナー装置において、ストレーナー本体を底部部材に取り付けた状態を、一部を切り欠いて示す正面図である。
【図１０】第２の実施例による本発明排水口用ストレーナー装置における底部部材の斜視図である。
【図１１】第２の実施例による本発明排水口用ストレーナー装置における底部部材の縦断面図である。
【図１２】従来一般家庭の台所で使用されているストレーナーの斜視図である。
【図１３】同ストレーナーの一部を切り欠いて示す正面図である。
【図１４】本発明排水口用ストレーナー装置の第１の実施例において、ストレーナー本体を底部部材に接合固定する状態を示す斜視図である。
【実施例】
【００１１】
本発明排水口用ストレーナー装置の実施例を、図面に基づいて詳細に説明する。図１は、本発明排水口用ストレーナー装置の第１の実施例を示す全体の斜視図であり、本発明装置は、分解して展開可能な円筒状のストレーナー本体１と、該ストレーナー本体１の下面に、取り外し自在に装着固定される底部部材２とにより構成されている。以下、第１の実施例につき、図１〜図７を用いて詳細に説明する。
【００１２】
第１の実施例によるストレーナー装置を構成するストレーナー本体１は、周壁に多数の排水用孔３を開口したプラスチック製の複数枚に分割された円弧状の排水片４ａ・４ｂ・４ｃ（実施例においては３枚の排水片を使用している。以下、本実施例においては３枚の排水片を使用するものとして説明する）をヒンジ５により展開自在に連結する一方、両端の排水片４ａ・４ｃを、後述する接合手段１０により一体に接合固定、且つ分離自在として、全体が円筒状に形成されている。
【００１３】
すなわち、前記円筒状のストレーナー本体１は、中間部に位置する排水片４ｂの縦方向両側端縁部６と、該排水片４ｂの両側に位置する排水片４ａ・４ｃの縦方向内側端縁部７とをそれぞれヒンジ５で開閉自在なるよう一体に連結する一方、前記両端に位置する排水片４ａ・４ｃの縦方向外側端縁部８・９に接合手段１０を設けて、該排水片４ａ・４ｃの縦方向外側端縁部８・９を該接合手段１０により一体に接合固定して円筒状に形成するのである。
【００１４】
前記両端に位置する排水片４ａ・４ｃの縦方向外側端縁部８・９を接合固定して円筒状のストレーナー本体１を形成する接合手段１０は、特に限定する必要はないが、好ましくは、図６〜図７に示すような構成とすることが推奨される。すなわち、図６〜図７においては、排水片４ａの縦方向外側端縁部８に複数個の嵌合突起１１を間隔を有して突設すると共に、該嵌合突起１１を嵌挿固定する嵌挿凹部１２を、前記排水片４ｃの縦方向外側端縁部９に備えて形成されている。これにより、前記排水片４ａの縦方向外側端縁部８に突設された嵌合突起１１を、前記排水片４ｃの嵌挿凹部１２に嵌挿固定することにより、両端の排水片４ａ・４ｃを一体に接合固定して、図１・２に示すように、前記各排水片４ａ・４ｂ・４ｃを円筒形状に一体に接合固定することができる。
【００１５】
なお、前記排水片４ａの縦方向外側端縁部８に突設された嵌合突起１１を、前記排水片４ｃの嵌挿凹部１２に嵌挿固定することにより、両端の排水片４ａ・４ｃを一体に接合固定して、該各排水片４ａ・４ｂ・４ｃを円筒形状に一体に接合固定された、ストレーナー本体１を分解して、図６に示すように展開する場合は、単に前記排水片４ａ・４ｃを持って、前記嵌挿凹部１２に嵌挿固定された嵌合突起１１を引き剥がすようにして、該嵌合突起１１の嵌挿凹部１２への嵌挿固定状態を解除すれば、前記各排水片４ａ・４ｂ・４ｃを円筒形状に一体に接合固定されたストレーナー本体１が分離され、図６に示すように、前記各排水片４ａ・４ｂ・４ｃはヒンジ５を介して拡開されて、展開された状態とすることができる。
【００１６】
前記構成より成るストレーナー本体１の下面に、取り外し自在に装着固定される底部部材２は、前記ストレーナー本体１の下面において、取り外し自在に装着できるような構成であれば、いずれも採用することができる。そして、前記底部部材２は、特に限定する必要はないが、好ましくは、図４〜図５に示すように、逆コップの形状の底部部材２ａとすることもできるし、または後述する第２の実施例である図８〜図１１に示すように、円盤状の底部部材２ｂとすることもできる。
【００１７】
先ず、本発明の第１の実施例である図３〜図５に示す底部部材２ａについて説明する。図３〜図５においては、排水口（図示せず）からの臭気が流し台上や浴室内に拡散しないように、円筒状をした周壁１３の上面に臭気止め板１４が設置されて全体を逆コップ状に形成すると共に、該臭気止め板１４上に前記ストレーナー本体１の下端部が、取外し自在なるよう係合手段１５により係合されて連結固定され、前記排水口に取付けられるよう構成されている。
【００１８】
前記底部部材２ａを構成する臭気止め板１４上に、前記ストレーナー本体１の下端部を取外し自在なるよう係合固定する係合手段１５は、特に限定する必要はないが、好ましくは、図３〜図５に示すよう構成することが推奨される。すなわち、図３〜図５に示すように、係合手段１５は、前記臭気止め板１４の外周面下部に凹溝１６を周設すると共に、該凹溝１６上の臭気止め板１４の外周縁に環状の係止突起１７を形成し、更に、前記臭気止め板１４の凹溝１６に嵌挿されると共に、係止突起１７に係止できるように、前記前記ストレーナー本体１を構成する各排水片４ａ・４ｂ・４ｃの内周壁下端縁に、前記係止突起１７に係止する係止突条１８を内側下方斜め方向に延設して構成されている。なお、図中、１９は、取出し用部材で、排水口に取付けられた本発明装置を洗浄のため、該排水口より取り出す時に使用する。なお、前記取出し用部材１９は、実施例においては排水片４ｃの上方内周壁面に突設されているが、例えば、バケツの取っ手のように湾曲した取り出し用部材とすることも可能で、その構成は任意である。
【００１９】
次に、本発明排水口用ストレーナー装置の第２の実施例を詳細に説明する。図８は、本発明排水口用ストレーナー装置の第２の実施例を示す全体の斜視図であり、前記第１の実施例と同様に、分解して展開可能な円筒状のストレーナー本体１と、該ストレーナー本体１の下面に、取り外し自在に装着固定される底部部材２とにより構成されている。以下、第２の実施例につき、図８〜図１１を用いて詳細に説明する。図８〜図１１に示すように、第２の実施例におけるストレーナー本体１は、前記第１の実施例のそれと同一構成であるが、底部部材２の構成が第１実施例のそれとは異なる構成である。すなわち、第２の実施例として示す底部部材２ｂは、前記第１実施例と異なり、円筒状の周壁がなく、平板より成る円盤状の底板２０により形成されると共に、該底板２０が、前記ストレーナー本体１の下端部に取外し自在なるよう、前記第１の実施例と同様の係合手段１５を備えて形成されている。そして、前記底部部材２ｂは、前記第１実施例の底部部材２ａで備えている凹溝１６および係止突起１７を備えている。なお、図９〜図１１において、２１は、底板２０に多数穿設された水切り用小孔である。
【００２０】
従って、前記第２の実施例による排水口用ストレーナー装置は、前記特許文献に記載されたストレーナーの下端に底板が固定されているのに対し、第２の実施例の場合は、底部部材２ｂ（特許文献の底板に相当）がストレーナー本体１から取り外し自在となっている点が異なるのである。そして、前記係合手段１５を用いてのストレーナー本体１と底部部材２ｂの係合および取外しの作用は、前記第１実施例と同一であるので、説明を省略する。
【００２１】
前記構成より成る本発明装置の作用を、第１の実施例による底部部材２ａを使用するものとして、図１４を用いて説明する。そして、第２の実施例による底部部材２ａを使用する場合については、前記第１の実施例による底部部材２ａを使用するものと、略同一であるので説明を省略する。
【００２２】
先ず、ストレーナー本体１を前記臭気止め板１４上に係合固定するには、前記ストレーナー本体１を各排水片４ａ・４ｂ・４ｃの接合固定状態を解除して拡開・展開した後、図１４に示すように、前記各排水片４ａ・４ｂ・４ｃの係止突条１８を前記臭気止め板１４の凹溝１５に外側方向から嵌挿して行き、前記嵌合突起１１を嵌合凹部１２一体に接合固定することにより、該ストレーナー本体１を円筒状に一体に接合固定すると共に、前記臭気止め板１４の係止爪１６に各排水片４ａ・４ｂ・４ｃの係止片１７が係止して、前記ストレーナー本体１は円筒状の形状を維持したまま、臭気止め板１４上に離脱することなく固定され、これによりストレーナー本体１は底部部材２ａに一体に固定されるのである（図９）。
【００２３】
次に、本発明装置を流し台の排水口から取り外し、ぬめり等の付着物を清浄する場合、前記取出し用突起１９を持って、前記底部部材２ａと一体となっているストレーナー本体１を排水口から取出し、然る後、前記排水片４ａ・４ｃを持って、前記嵌挿凹部１２に嵌挿固定された嵌合突起１１を引き剥がすようにして嵌挿状態を解除すれば、前記各排水片４ａ・４ｂ・４ｃは拡開・展開された状態となり、前記各排水片４ａ・４ｂ・４ｃの係止突条１８を臭気止め板１４の凹溝１５への嵌挿状態も解除され、前記ストレーナー本体１は極めて簡単に底部部材２ａの臭気止め板１４から取去ることができ、直ちに洗浄作業に入ることができる。
【００２４】
そして、洗浄作業は、前記したように、前記ヒンジ５を介してストレーナー本体１を波形状に拡開して全体の厚さを薄くして洗浄剤中に浸漬したり、あるいは洗浄液をつけたスポンジ等の洗浄部材で洗浄することにより、従来の円筒状のストレーナーの場合に比べて、浸漬する洗浄剤を少なくすることができると共に、洗浄部材での洗浄作業が、短時間で、且つ手間がかからず簡単に行うことのできるのである。
【００２５】
なお、図示を省略するが、前記複数枚に分割された円弧状の排水片を備えた第１・第２実施例のストレーナー本体の代りに、巻き寿司の作成時に汎用されている巻き簀と同一構成で、多数の排水用孔を開口し、且つ前記第１・第２実施例のストレーナー本体と同様の接合手段および係合手段を備えた巻き簀状に形成されたものをストレーナー本体として使用することもできる。
【符号の説明】
【００２６】
１  ストレーナー本体
２  底部部材
２ａ  底部部材（第１実施例）
２ｂ  底部部材（第２実施例）
３  排水用孔
４ａ・４ｂ・４ｃ  排水片
５  ヒンジ
６  縦方向両側端縁部
７  縦方向内側端縁部
８・９  縦方向外側端縁部
１０  接合手段
１１  嵌合突起
１２  嵌挿凹部
１３  周壁
１４  臭気止め板
１５  係合手段
１６  凹溝
１７  係止突起
１８  係止突条
１９  取り出し用突起
２０  底板
２１  水切り用小孔
【図１】
2018127853.tif 000003
【図２】
2018127853.tif 000004
【図３】
2018127853.tif 000005
【図４】
2018127853.tif 000006
【図５】
2018127853.tif 000007
【図６】
2018127853.tif 000008
【図７】
2018127853.tif 000009
【図８】
2018127853.tif 000010
【図９】
2018127853.tif 000011
【図１０】
2018127853.tif 000012
【図１１】
2018127853.tif 000013
【図１２】
2018127853.tif 000014
【図１３】
2018127853.tif 000015
【図１４】
2018127853.tif 000016